(57)【特許請求の範囲】
【請求項１】
麻雀牌を表示した複数の入球口からなる入球口列を有し、かつ外周に円弧状に設けられた外周壁を有する遊技盤と、
前記遊技盤に遊技球を発射する発射手段と、
前記外周壁との間で、前記発射手段によって発射された遊技球を前記入球口列の一端外側を経て該入球口列の他端側の上方に排出するように案内するガイドレールと、
前記ガイドレールから排出されて当接した遊技球を前記入球口列の一端側に跳ね返す弾性部材と、
前記ガイドレールの前記入球口列の一端側上方にて、前記ガイドレールを逆流してくる遊技球を前記入球口列の一端側に排出可能に開放するように形成された中間排出口と、
前記発射手段によって発射された遊技球の通過を許容し、かつ前記ガイドレールにおける前記遊技盤の左右方向にて最も上方に位置する最上位置を越えずに戻ってきた遊技球を前記中間排出口から排出する逆流球排出手段と、を備え、
前記ガイドレールは、前記外周壁との間に遊技球通過可能な間隔をあけて配置され、かつ前記遊技盤の中央部で上方に向かって突出するように湾曲し前記最上位置を越えて延び、その遊技球排出端が前記弾性部材との間に遊技球落下用の隙間をあけた状態で配置されてなる、
ことを特徴とする雀球遊技機。
【請求項２】
前記弾性部材によって跳ね返されて到達した遊技球を受け入れて前記入球口列の一端側の上方に排出するガイド部材を備えたことを特徴とする請求項１に記載の雀球遊技機。
【請求項３】
前記ガイド部材の前記遊技球を受け入れる一方の端部よりも低い位置で該遊技球を前記入球口列の一端側の上方に排出する他方の端部の下方に、左右方向に移動する移動部材によって前記遊技球を前記入球口列の一端側に排出する片側排出手段を設けたことを特徴とする請求項２に記載の雀球遊技機。
【請求項４】
前記逆流球排出手段は、前記発射手段によって発射された遊技球に押されて該遊技球の通過を許容し、かつ前記最上位置を越えずに戻ってきた遊技球を前記中間排出口から排出する逆流球排出片を有していることを特徴とする請求項１に記載の雀球遊技機。
【請求項５】
前記中間排出口の近傍に設けられた中間入球口と、前記入球口列の中間部分に遊技球を排出する排出口と、前記中間入球口と前記排出口を前記遊技盤の裏側で結ぶ通路と、を有する分配手段を備え、
前記分配手段は、前記中間排出口から排出された前記遊技球を前記入球口列の中間に配列された入球口に前記排出口を介して分配可能に構成されてなる、ことを特徴とする請求項１又は４に記載の雀球遊技機。
【発明の詳細な説明】
【技術分野】
【０００１】
本発明は、麻雀牌を表示した複数の入球口からなる入球口列を有する遊技盤に遊技球を発射し、その遊技球が入球した入球口の麻雀牌の組み合わせによって得点を得る雀球遊技機、特に、入球口列の両端側の入球口に遊技球を入球しやすくした雀球遊技機に関する。
【背景技術】
【０００２】
従来、雀球遊技機は、麻雀牌を表示した複数の入球口からなる入球口列を有する遊技盤に発射された遊技球を、ガイドレールによって入球口列の一端外側から入球口列の上方に案内して排出し、該遊技球が落下して入球した入球口の麻雀牌の表示の組み合わせによって得点を得るようになっている（例えば、特許文献１参照）。
【０００３】
すなわち、雀球遊技機は、遊技者によって遊技メダルがメダル投入口に投入されると、例えば、１ゲーム当たり１４個の麻雀牌の図柄を画像表示装置の手配表示部に自動的に、かつ無作為に配牌表示する。遊技者は、その手配表示部の配牌を見て、どのような役で上がるかを決めて、その役を成立させるために不要な牌である捨牌の図柄に対応するボタンを押す。すると、捨牌の図柄が手配表示部から消えて捨牌表示部に表示される。
【０００４】
その後、遊技者は、入球口列の内、役を成立させる牌の図柄を表示してある所望の入球口を狙って、遊技球を発射させる。そして、遊技球が入球した入球口の図柄と同じ図柄が画像表示装置のツモ牌表示部にツモ牌として表示される。しかし、遊技球は狙いどおりに所望の入球口に入球するとは限らない。このため、遊技者はツモ牌が所望の牌であるか否かを確認して、そのツモ牌が所望の牌でないときには、ツモ切りボタンを押してツモ牌をツモ切りする。もし、ツモ牌が所望の牌であるときは、他の不要と判断した新たな捨牌の図柄に対応するボタンを押して捨牌をする。
【０００５】
遊技者はこのような動作を繰り返して聴牌したとき、リーチボタンを押す。遊技球が所望の牌の図柄を表示してある入球口に入球して、ツモ牌表示部にその所望の牌の図柄が表示されたとき、所望の役が成立したことになり、遊技者は、聴牌確認ボタンを押してゲームを終了する。最後、役の得点に応じたメダルが排出される。
【０００６】
しかし、上記の動作において、ツモ牌を得るのに発射することのできる遊技球の数は限られているので、その数だけの遊技球を発射する間に、役が成立しない場合には、得点を得られないまま、そのゲームは、終了となる。
【０００７】
このため、遊技者は、限られた遊技球数において、所望の役を成立させるため、所望のツモ牌に相当する牌を表示してある入球口を狙い打ちする必要がある。この場合、遊技者は、発射レバーで遊技球を発射する雀球遊技機の場合には（例えば、特許文献２参照）、発射レバーの弾き加減を調節して遊技球の発射の勢いを加減し、所望のツモ牌を表示してある入球口を狙い打ちしていた。また、ダイヤル状の発射ハンドルで遊技球を発射する雀球遊技機の場合には（例えば、特許文献１参照）、発射ハンドルの回転角度を調節して発射モータによる遊技球の発射の勢いを調節して、所望のツモ牌に相当する牌を表示してある入球口を狙い打ちしていた。
【０００８】
【特許文献１】特開平７−３９６２３号公報（図１参照）
【特許文献２】特開２０００−１８９５５８号公報（図１参照）
【発明の開示】
【発明が解決しようとする課題】
【０００９】
しかし、従来の雀球遊技機における、ガイドレールは、遊技盤の外壁に沿って、遊技球が通過できる程度の間隔を隔てて配設されて、例えば、図２において、中間排出口５６を形成してある位置あたりまでしか形成されておらず、入球口列の中間部上方まで届いていなかった。このため、ガイドレールの遊技球排出端から排出された遊技球は、放物線を描いて入球口列の中間部分に落下することが多く、入球口列の両端側に落下することが少なかった。このため、入球口列の両端側の入球口は狙い打ちするのが困難であった。
【００１０】
すなわち、入球口列の入球口の内、発射された遊技球が通過する側の入球口を狙い打ちするには、遊技球の発射の勢いを弱くして、遊技球をガイドレールの遊技球排出端から真下に落下させる必要があった。いわゆる、遊技球をチョロ打ちする必要があった。しかし、遊技球の発射の勢いをあまり弱くすると、遊技球がガイドレールの遊技球排出端に到達しないで、ガイドレールを戻る逆流球である、いわゆる、ファール球になることがあり、そのファール球を発射し直さなければならなかった。場合によっては、ファール球を何回も打ち直すことがあった。このため、入球口列の一端側の入球口を狙い打ちするには、遊技球の発射の勢いを微妙に調節する必要があり、時間を要して、遊技性を損なうことがあった。
【００１１】
また、遊技球が通過する側とは反対側（入球口列の他端側）の入球口を狙い打ちするのも困難であった。すなわち、ガイドレールが、上記反対側の入球口の上方まで、延びていないため、遊技球をある程度、強く発射しなければ上記反対側の入球口に入球させることができなかった。しかし、遊技球をあまり強く発射させると遊技盤側壁の終端部で跳ね返されて、ガイドレールを逆流することがあった。このため、遊技球の発射の加減を調節する必要があり、時間を要して、遊技性を損なうことがあった。
【００１２】
本発明は、麻雀牌を表示した複数の入球口からなる入球口列の両端側の入球口に、遊技球を入球しやすくした雀球遊技機を提供することを目的としている。
【課題を解決するための手段】
【００１３】
請求項１記載の発明は、麻雀牌を表示した複数の入球口（３０）からなる入球口列（３４）を有し、かつ外周に円弧状に設けられた外周壁（５１）を有する遊技盤（２２）と、前記遊技盤（２２）に遊技球を発射する発射手段（３２）と、前記外周壁（５１）との間で、前記発射手段（３２）によって発射された遊技球を前記入球口列（３４）の一端外側を経て該入球口列（３４）の他端側の上方に排出するように案内するガイドレール（５２）と、前記ガイドレール（５２）から排出されて当接した遊技球を前記入球口列（３４）の一端側に跳ね返す弾性部材（５４）と、前記ガイドレール（５２）の前記入球口列（３４）の一端側上方にて、前記ガイドレール（５２）を逆流してくる遊技球を前記入球口列（３４）の一端側に排出可能に開放するように形成された中間排出口（５６）と、前記発射手段（３２）によって発射された遊技球の通過を許容し、かつ前記ガイドレール（５２）における前記遊技盤（２２）の左右方向にて最も上方に位置する最上位置（５２ａ）を越えずに戻ってきた遊技球を前記中間排出口（５６）から排出する逆流球排出手段（６０）と、を備え、前記ガイドレール（５２）は、前記外周壁（５１）との間に遊技球通過可能な間隔をあけて配置され、かつ前記遊技盤（２２）の中央部で上方に向かって突出するように湾曲し前記最上位置（５２ａ）を越えて延び、その遊技球排出端（５２ｂ）が前記弾性部材（５４）との間に遊技球落下用の隙間をあけた状態で配置されてなる、ことを特徴とする雀球遊技機（１０，１１０）である。
【００１４】
請求項２に記載の発明は、請求項１に記載の雀球遊技機（１０，１１０）において、前記弾性部材（５４）によって跳ね返されて到達した遊技球を受け入れて前記入球口列（３４）の一端側の上方に排出するガイド部材（５５）を備えたことを特徴とする。
【００１５】
請求項３に記載の発明は、請求項２に記載の雀球遊技機（１０，１１０）において、前記ガイド部材（５５）の前記遊技球を受け入れる一方の端部（５５ａ）よりも低い位置で該遊技球を前記入球口列（３４）の一端側の上方に排出する他方の端部（５５ｂ）の下方に、左右方向に移動する移動部材（５３）によって前記遊技球を前記入球口列（３４）の一端側に排出する片側排出手段（２５）を設けたことを特徴とする。
【００１６】
請求項４に記載の発明は、請求項１に記載の雀球遊技機（１０，１１０）における前記逆流球排出手段（６０）が、前記発射手段（３２）によって発射された遊技球に押されて該遊技球の通過を許容し、かつ前記最上位置（５２ａ）を越えずに戻ってきた遊技球を前記中間排出口（５６）から排出する逆流球排出片（６３）を有していることを特徴とする。
【００１７】
請求項５に記載の発明は、請求項１又は４に記載の雀球遊技機（１０，１１０）において、前記中間排出口（５６）の近傍に設けられた中間入球口（１１２）と、前記入球口列（３４）の中間部分に遊技球を排出する排出口（１１３）と、前記中間入球口（１１２）と前記排出口（１１３）を前記遊技盤（２２）の裏側で結ぶ通路（１１４）と、を有する分配手段（１１１）を備え、前記分配手段（１１１）は、前記中間排出口（５６）から排出された前記遊技球を前記入球口列の中間に配列された入球口（３０）に前記排出口（１１３）を介して分配可能に構成されてなる、ことを特徴とする。
【００１８】
なお、括弧内の符号は、便宜的に、図面と対照し易くするために付したものであって、本発明の構成を何ら限定するものではない。
【発明の効果】
【００１９】
請求項１に記載の発明によれば、遊技球を逆流球排出手段によって中間排出口から入球口列の一端側に排出するようになっているので、従来と異なって、逆流球（いわゆる、ファール球）を何回も打ち直して、遊技球の発射の勢いを微妙に調整する必要がなくなり、遊技を速やかに進行させることができて、遊技性を高めることができる。しかも、入球口列の一端側の入球口に遊技球を入球させる確率が高まり、遊技性が高まる。さらに、ガイドレールを従来のガイドレールよりも延長してあるので、中間排出口から遊技球を排出して入球口列の一端側の入球口を狙う場合、その延長した最上位置までの長さの分だけ、遊技球の発射の勢いの調整が容易になり、遊技を速やかに進行させることができて、遊技性を高めることができる。
【００２０】
また、ガイドレールが、発射手段によって発射された遊技球を入球口列の一端外側を経て最上位置を越えた位置まで案内して入球口列の他端側の上方に排出するようになっているので、遊技球の発射の勢いに多少のバラツキがあっても、遊技球を入球口列の他端側の上方に排出して、遊技球を入球口列の他端側の入球口に確実に入球させることができる。
【００２１】
このように、請求項１に記載の発明によれば、入球口列の両端側に遊技球を容易に入球することができるので、遊技性を高めることができる。
【００２２】
請求項２に記載の発明によれば、遊技球を弾性部材に当接させる勢いで発射させて、弾性部材で跳ね返えされた遊技球をガイド部材で受け入れてガイド部材の案内で入球口列の一端側の上方に排出することができるようになっているので、遊技球の発射の勢いに多少のバラツキがあっても、発射された遊技球をガイド部材で確実に受け止めて入球口列の一端側に確実に排出することができる。このため、従来と異なって、逆流球（いわゆる、ファール球）を何回も打ち直して、遊技球の発射の勢いを微妙に調整する必要がなくなり、遊技を速やかに進行させることができる。さらに、入球口列の一端側の入球口に遊技球を入球させる確率が高まり、遊技性を高めることができる。
【００２３】
請求項３に記載の発明によれば、ガイド部材の遊技球を受け入れる一方の端部よりも低い位置で該遊技球を入球口列の一端側の上方に排出する他方の端部の下方に、左右方向に移動する移動部材によって遊技球を前記入球口列の一端側に排出する片側排出手段を設けてあるので、移動部材の動きを利用して、遊技球を入球口列の一端側の入球口に確実に排出することができて、遊技性を高めることができる。
【００２４】
請求項４に記載の発明によれば、逆流球排出手段が、発射手段によって発射された遊技球に押されて該遊技球の通過を許容し、かつ最上位置を越えずに戻ってきた遊技球を中間排出口から排出する逆流球排出片を有しているので、簡単な構造で、入球口列の一端側の複数の入球口に確実に遊技球を排出することができて、遊技性を高めることができる。
【００２５】
請求項５に記載の発明によれば、中間排出口の近傍に設けられた中間入球口と、入球口列の中間部分に遊技球を排出する排出口と、中間入球口と排出口を遊技盤の裏側で結ぶ通路とを有する分配手段を備え、該分配手段が、中間排出口から排出された遊技球を入球口列の中間に配列された入球口に排出口を介して分配可能に構成されてなるので、入球口列の中間部分の入球口を容易に狙い打ちすることができて、遊技性を高めることができる。
【発明を実施するための最良の形態】
【００２６】
以下、本発明の実施形態の雀球遊技機を図に基づいて説明する。図１は本実施形態の雀球遊技機１０の外観斜視図、図２は本雀球遊技機１０の遊技盤２２の正面図であり、第２開閉扉１９の中間部と上部側とを示し下部側部分を省略した正面図、図３は本雀球遊技機１０において遊技球がガイドレールの途中で戻る場合の動作説明用の図、図４は本雀球遊技機１０において遊技球がガイドレールの遊技球排出端から勢いが弱く排出される場合の動作説明用の図、図５は本雀球遊技機１０において遊技球が弾性部材に当接して跳ね返ってガイド部材に案内される場合の動作説明用の図である。
【００２７】
雀球遊技機１０は、略箱体形状の裏枠１１と、この裏枠１１の前部左側に開閉連結支持機構１２によって開閉できるように支持された前枠１３とを備えている。
【００２８】
前枠１３は、裏枠１１に開閉連結支持機構１２によって開閉できるように支持した第１開閉扉１７と、この第１開閉扉１７の裏面側において裏枠１１に開閉連結支持機構１２によって開閉できるように支持した第２開閉扉１９とを備えている。すなわち、第１開閉扉１７と、裏枠１１との間に弟２開閉扉１９を設けてある。第１開閉扉１７は、ガラス枠部１５と操作部１６とを上下一体に結合して形成してある。
【００２９】
第１開閉扉１７は、裏枠１１に先に閉じられた第２開閉扉１９を閉塞して、第２開閉扉１９の前部に設けてある開閉連結支持機構１２とは反対側に設けた施錠機構２０によって裏枠１１に施錠されるようになっている。
【００３０】
第１開閉扉１７のガラス枠部１５は、ほぼ半円状に開口する開口部２１と、この開口部２１の外周に亘って設けた演出用ランプ部２３と、不図示のガラス支持機構とを備えている。また、第１開閉扉１７の操作部１６は、雀球遊技機１０の後方（奥側）から前方（遊技者側）に向かって下方に傾斜した上部面１６ａと、この上部面１６ａの前方縁部から下方に向かって丸みを帯びて膨出する下部面１６ｂとによって、遊技盤２２の下部側において前方に膨出した形状になっている。
【００３１】
操作部１６の上部面１６ａには、操作パネル３３を配設してある。この操作パネル３３には、遊技に必要な麻雀牌の配牌状況を含む各種情報を表示する液晶ディスプレイ等からなる画像表示部３５と、この画像表示部３５の下側縁部の長手方向に亘って配列した複数（本実施形態では、配牌の１３牌とツモ牌に対応する１牌とに相当する１４個）の捨牌ボタン３６と、画像表示部３５の左に位置するベット（ＢＥＴ）ボタン３７、右に位置するリーチボタン３９とを設けてある。なお、捨牌ボタン３６は、遊技者によって適時押圧されると、雀球遊技機１０に捨牌動作を行わせるようになっている。
【００３２】
さらに、上部面１６ａにおける操作パネル３３の左方には、メダル投入口４０、及びメダル返却ボタン４１を配設してあり、操作パネル３３の右方には、所定の操作を行うための各種操作ボタン４２を配設してある。また、操作部１６の下部面１６ｂ上部の左右両端部には、演出用ランプ４３を夫々配設してある。
【００３３】
画像表示部３５には、図示しないが、捨牌、チャンス役、聴牌時の上がり牌、メダル残数、ドラ牌・裏ドラ牌、ツモ牌、或いはゲームの流れに対応するキャラクタ等を表示してある。また、画像表示部３５の表示は、例えば、メダル投入口４０から遊技メダルが１枚投入された際、それまで表示されていたデモンストレーション画面が通常遊技画面に切り替わるようになっており、これにより、雀球遊技機１０が遊技球打ち出し可能な状態になったことを遊技者に知らせるようになっている。
【００３４】
一方、第２開閉扉１９は、第２開閉扉１９の上部側と中間部とを示し、下部側部分を省略した正面図である図２に示すように、上部側と中間部とに、ガラス枠部１５（図１参照）の開口部２１から見えるように遊技盤２２を設けてある。さらに、第２開閉扉１９は、図１に示すように、下部側に、メダル受皿４５と、このメダル受皿４５の上方、及び左方に夫々設けた放音部４６と、メダル受皿４５の右方に設けた発射手段である発射レバー３２、及び天狗４７と、メダル受皿４５の左下方に設けた灰皿４９とを備えている。さらに、メダル受皿４５の略中央部には、メダル排出口５０を設けてある。なお、発射レバー３２は、不図示のばねによって常時天狗４７から離れる方向に回転付勢されている。また、第２開閉扉１９の裏面側下部の２箇所には、上記２箇所の放音部４６に夫々対応するように不図示のスピーカを設けてある。
【００３５】
そして、遊技盤２２の外周には、円弧状の外周壁５１を形成してあり、この外周壁５１に沿ってガイドレール７１を配設してある。ガイドレール７１は、外周壁５１から遊技球が通過できる程度、離れた位置に設けてあり、発射レバー３２によって発射された遊技球を外周壁５１とで案内して、後述する入球口列３４の一端外側を経て最上位置５２ｂを超えた位置まで案内して、入球口列３４の他端側（図２において右端側、以下、「他端」を「右端」と言う）上方に排出するようになっている。すなわち、従来のガイドレールが、入球口列３４の一端（図２において左端、以下、「一端」を「左端」と言う）から中間排出口５６を形成してある位置あたりまでしか延びていなかったのに対して、本実施形態のガイドレール５２は、さらに延長して、入球口列３４の中間部上方と入球口列３４の右端側上方との間まで延びている。
【００３６】
ガイドレール５２の遊技球が排出される遊技球排出端５２ｂの先には、外周壁５１に密着させてゴム、弾性を有する樹脂等で形成された弾性部材５４を設けてある。弾性部材５４は、当接した遊技球を入球口列３４の一端側方向（図２において、左側方向）に跳ね返すことができるように傾斜面５４ａを形成してある。ガイドレール５２の上方に湾曲した最上位置５２ａの下側には、弾性部材５４によって跳ね返されて到達した遊技球を受け入れて入球口列３４の左端側の上方に排出するガイド部材５５を設けてある。ガイド部材５５は、遊技球を受け入れる端部５５ａよりも遊技球を排出する端部５５ｂの方を低くして遊技盤２２に設けた断面Ｌ字状の部材である。このため、遊技者が、ガイド部材５５を転がり落ちる遊技球の勢いを目視して発射レバー３４の弾き加減を調節し、入球口列３４の左端側にある所望の入球口３０を狙い打ちすることができるようになっている。これによって、雀球遊技機１０の遊技性を高めることができる。
【００３７】
ガイド部材５５の遊技球を排出する端部５５ｂの下方で、かつ遊技盤２２の中央より左側の位置には、片側排出手段であるアタッカ２５を配設してある。アタッカ２５は、移動部材である分散片５３を有している。分散片５３は、雀球遊技機１０の作動中、常時、ガイド溝２５ａの案内によって左右方向に移動するようになっており、裏側には遊技球を受け入れて入球口列３４の左端側に案内するガイド片５３ａを設けてある。
【００３８】
なお、弾性部材５４、ガイド部材５５、及びアタッカ２５は必ずしも設ける必要がない。
【００３９】
アタッカ２５の下方には、入球口列３４を遊技盤２２の左右方向に沿って配設してある。入球口列３４は、詳細な図示は省略するが、例えば、一万から九万、及び一筒から九筒までの各麻雀牌を表示してある入球口、並びに東、南、西、北、白、発、中を夫々表示した入球口などの複数の入球口３０を備えている。なお、牌の種類は、上記に限定されることなく、他の組み合わせにしてもよい。また、入球口の数は、増やしてもよいし、減らしてもよい。各入球口の上部には、所要のゲージ設定に応じて不図示の障害釘を打ち込んである。また、遊技盤２２の適宜な位置に５個の風車３１を設けてある。
【００４０】
ガイドレール５２の入球口列３４の左端側上方には、ガイドレール５２を逆流してくる遊技球（逆流球）を排出できるように中間排出口５６を形成してある。中間排出口５６には、逆流球排出手段である逆流球排出機構６０を設けてある。逆流球排出機構６０は、発射されてガイドレール５２に案内されて上方に移動する遊技球の通過を許容し、かつ通過後、ガイドレール５２を逆流球となって戻ってきた遊技球を中間排出口５６から入球口列３４の左端側に案内排出するようになっている。
【００４１】
逆流球排出機構６０は、不図示のばねと、このばねによって反時計方向へ回転付勢力を受けてガイドレール５２によって回転止めされた回転体６１と、この回転体６１に設けた弾性板からなる逆流球排出片６３とを有している。逆流球排出片６３は、回転体６１とともに、通常、中間排出口５６を開いており、発射された遊技球に押されて中間排出口５６を閉じる方向に軸６２を中心に一旦回転してその遊技球の通過を許容し、その発射された遊技球が逆流球となってガイドレール５２を戻ってくる間に、元の位置に戻って中間排出口５６を開き、その逆流球を入球口列３４の左端側に案内排出するようになっている。
【００４２】
なお、逆流球排出片６３には、発射された遊技球の通過を容易にするため、弾性板を使用しているが、必ずしも弾性を備えている必要はない。また、逆流球排出機構は、回転体６１を使用することなく、逆流球排出片６３をガイドレール５２に直接設けて、逆流球排出片自身の弾性によって遊技球の移動方向を切り換える構成にしてもよい。
【００４３】
なお、図示しないが、アタッカ２５等の各種遊技部品の周囲には、所要のゲージ設定に応じた多数本の障害釘を打ち込んであるものとする。
【００４４】
以上の構成において、遊技者は、メダル投入口４０にメダルを投入して、操作パネル３３の画像表示部３５に自動的、かつ無作為に配牌表示されると、捨牌の図柄に対応する捨牌ボタン３６を押して、不要な牌を捨てる。その後、遊技者は、所望のツモ牌を得るため、その所望のツモ牌の図柄を表示してある入球口３０を狙って、発射レバー３２で遊技球Ｂを発射させる（図２参照）。
【００４５】
次に、中間排出口５６から遊技球を排出して、その遊技球を入球口列３４の一端側（図２の左端側）にある入球口３０に入球させる動作を説明する。
【００４６】
遊技者は、発射レバー３２を操作して、図３に示すように、ガイドレール５２が上方に湾曲した最上位置５２ａを越えない程度の勢いを遊技球に与えて遊技球を発射する。発射された遊技球は、遊技盤２２の外周壁５１とガイドレール５２とに案内されて逆流球排出片６３を押し退けて回転体６１を回転させて移動し、ガイドレール５２が上方に湾曲した最上位置５２ａの手前側まで移動して、ガイドレール５２を逆流する。この間に、回転体６１及び逆流球排出片６３は、図３に示す元の位置に復帰している。このため、逆流してきた遊技球Ｂ１は、逆流球排出片６３に案内されて、中間排出口５６から入球口列３４の左端側に排出される。
【００４７】
したがって、本実施形態の雀球遊技機１０は、中間排出口５６と、逆流球排出機構６０とを設けて、逆流球を入球口列３４の左端側に排出するようになっているので、入球口列３４の左端側の狙ったツモ牌の図柄を表示してある入球口に遊技球を入球させる確率が高まり、遊技性を高めることができる。しかも、逆流球であるファール球を何回も打ち直す必要がなくなり、遊技を速やかに進行させることができて、遊技性を高めることができる。
【００４８】
また、ガイドレール３２を従来のガイドレールよりも延長してあるので、その延長した最上位置５２ａまでの長さの分だけ、発射させる遊技球の発射の勢いの調整が容易になり、遊技を速やかに進行させることができて、遊技性を高めることができる。
【００４９】
次に、入球口列３４の他端側（図２の右端側）にある入球口３０に遊技球を入球させる動作を説明する。
【００５０】
遊技者は、発射レバー３２を操作して、図４に示すようにガイドレール５２が上方に湾曲した最上位置５２ａを越える程度の勢いを遊技球に与えて遊技球を発射する。発射された遊技球は、遊技盤２２の外周壁５１とガイドレール５２とに案内されて逆流球排出片６３を押し退けて回転体６１を回転させて移動し、ガイドレール５２が上方に湾曲した最上位置５２ａを越えて、ガイドレール５２の遊技球排出端５２ｂから流出する。遊技球排出端５２ｂから流出した遊技球Ｂ２は、そのまま落下するか、或いは風車３１によって落下方向を変更させられて入球口列３４の右端側にあるいずれかの入球口３０に入球する。この一連の遊技球の流れにおいて、遊技球は、発射レバー３２によって発射される勢いが多少弱くても、上方に湾曲した最上位置５２ａを通過するだけの勢いがあれば、入球口列３４の右端側にあるいずれかの入球口３０に入球することができる。
【００５１】
したがって、本実施形態の雀球遊技機１０は、ガイドレール３２が、従来のガイドレールよりも延長して、入球口列３４の中間部上方と入球口列３４の右端側との間まで延びているので、入球口列３４の右端側の狙ったツモ牌の図柄を表示してある入球口に遊技球を入球させる確率が高まり、遊技性を高めることができる。
【００５２】
次に、弾性部材５４とガイド部材５５とを使用して、遊技球を入球口列３４の一端側（図２の左端側）にある入球口３０に入球させる動作を説明する。
【００５３】
遊技者は、図５に示すように、遊技球が弾性部材５４に強く当たるように発射レバー３２を図２に示す場合よりも強く弾く。勢い良く発射された遊技球は、遊技盤２２の外周壁５１とガイドレール５２とに案内されて逆流球排出片６３を押し退けて回転体６１を回転させて通過し、ガイドレール５２が上方に湾曲した最上位置５２ａを越えて、ガイドレール５２の遊技球排出端５２ｂから流出して、弾性部材５４に当接する。弾性部材５４に当接した遊技球Ｂ３の内、弾性部材５４によって勢い良く跳ね返された遊技球Ｂ３ａは、ガイド部材５５に受け止められて、ガイド部材５５の傾斜にしたがって転がり、入球口列３４の左端側に落下する。落下する遊技球Ｂ３ａは、アタッカ２５の分散片５３のガイド片５３ａに案内されて入球口列３４の左端から中間部にかけてのほぼ左側半分の領域に落下する。したがって、遊技球の発射の勢いにバラツキがあっても、入球口列３４の左端側の所望の入球口３０を容易に狙い打ちすることができる。なお、アタッカ２５は無くても、入球口列３４の左端側の所望の入球口３０を容易に狙い打ちすることができるが、アタッカ２５を設けてあると、アタッカ２５の分散片５３の動きを利用して、より一層、入球口列３４の左端側の入球口３０を狙い打ちし易くすることができる。
【００５４】
また、発射の勢いの弱い遊技球は、符号Ｂ３ｂで示す遊技球のように、ガイド部材５５に届かないで落下する。この場合は、むしろ、入球口列３４の右端側から中間部にかけての入球口３０に入球することができる。
【００５５】
本実施形態の雀球遊技機１０は、ガイドレール３２を従来のガイドレールよりも延長して、遊技球を弾性部材５４に確実に当接させ、強く跳ね返った遊技球をガイド部材５５で受け止めて入球口列３４の左端側に排出するようになっているので、遊技球の発射の勢いに多少のバラツキがあっても、発射された遊技球をガイド部材５５で確実に受け止めて入球口列３４の左端側に排出することができる。よって、従来と異なって、逆流球である、ファール球を何回も打ち直して、遊技球の発射の勢いを微妙に調整する必要がなくなり、遊技を速やかに進行させることができる。しかも、入球口列３４の左端側の狙ったツモ牌の図柄を表示してある入球口に遊技球を入球させる確率が高まり、遊技性を高めることができる。
【００５６】
以上のようにして、遊技者が、入球口列３４の所望の入球口３０を狙い、操作レバー３２の弾き加減を調節して発射させた遊技球が入球した入球口３０の図柄が画像表示部３５にツモ牌として表示される。遊技者はツモ牌が所望の牌であるか否かを確認して、そのツモ牌が所望の牌でないときには、ツモ切りボタンを押してツモ牌をツモ切りする。もし、ツモ牌が所望の牌であるときは、他の不要と判断した新たな捨牌の図柄に対応する捨牌ボタン３６を押して捨牌をする。
【００５７】
遊技者はこのような動作を繰り返して聴牌したとき、リーチボタンを押す。遊技球が所望の牌の図柄を表示してある入球口に入球して、ツモ牌表示部にその所望の牌の図柄が表示されたとき、所望の役が成立したことになり、遊技者は、聴牌確認ボタンを押してゲームを終了する。最後、役の得点に応じたメダルが排出される。
【００５８】
図６は他の実施形態の雀球遊技機１１０における遊技盤の正面部分図である。図６において、図１ないし図４に示す部分と同一部分については、同一符号を付して、その部分の説明は省略する。
【００５９】
この雀球遊技機１１０は、ガイドレール５２の中間排出口５６から排出された逆流球Ｂ１を入球口列３４の中間に配列された入球口３０に分配可能な分配手段であるワープ１１１を備えている。
【００６０】
ワープ１１１は、中間排出口５６の近くに設けた中間入球口１１２と、入球口列３４の中間部分に遊技球を排出する中間排出口（排出口）１１３と、中間入球口１１２と中間排出口１１３を遊技盤２２の裏側で結ぶ通路１１４とを有している。中間排出口５６から排出された遊技球の一部が中間入球口１１２に入球すると、その入球した遊技球は、通路１１４を通過して中間排出口１１３から排出される。このとき、中間排出口１１３の下部には、遊技球を分散する分散斜面１１３ａを形成してあるので、遊技球は、その分散斜面１１３ａによって分散されて入球口列３４の中間部分に排出される。
【００６１】
このように、本実施形態の雀球遊技機１１０は、中間排出口５６から排出された遊技球を入球口列３４の左端側のみならず、場合によっては入球口列３４の中間部分にも排出することができるので、遊技性を高めることができる。なお、中間入球口１１２は、中間排出口５６から排出される遊技球のみならず、ガイド部材５５を転がり落ちる遊技球Ｂ３ａも入球することがある。
【００６２】
以上の説明において、遊技球を発射させる勢いは、図５に示す状態が最も強く、図４に示す状態が２番目に強く、そして、図３、図６に示す状態が最も弱くなっている。
【００６３】
また、以上の実施形態における雀球遊技機１０，１１０は、発射レバー３２によって遊技球を発射するようになっているが、遊技者がダイヤル状の発射手段である発射ハンドルを所望の角度に回転することによって発射モータで発射するようになっていてもよい。
【００６４】
さらに、本実施形態の雀球遊技機１０，１１０は、麻雀牌を自動的に配牌するようになっているが、遊技者が発射レバー３２を弾いて、或いは上記発射ハンドルを所望の角度に回転させて、遊技球を入球口列３４の入球口３０に入球させる手動配牌によって配牌するようにしてもよい。
【図面の簡単な説明】
【００６５】
【図１】本実施形態の雀球遊技機の外観斜視図である。
【図２】本雀球遊技機の遊技盤の正面図であり、第２開閉扉の中間部と上部側とを示し下部側部分を省略した正面図である。
【図３】本雀球遊技機において遊技球がガイドレールの途中で戻る場合の動作説明用の図である。
【図４】本雀球遊技機において遊技球がガイドレールの遊技球排出端から勢いが弱く排出される場合の動作説明用の図である。
【図５】本雀球遊技機において遊技球が弾性部材に当接して跳ね返ってガイド部材に案内される場合の動作説明用の図である。
【図６】他の実施形態の雀球遊技機における遊技盤の正面部分図である。
【符号の説明】
【００６６】
Ｂ      遊技球
Ｂ１    遊技球
Ｂ２    遊技球
Ｂ３    遊技球
１０      雀球遊技機
２２      遊技盤
２５      アタッカ（片側排出手段）
３０      入球口
３２      発射レバー（発射手段）
３３      操作パネル
３４      入球口列
３５      画像表示部
３６      捨牌ボタン
３９      リーチボタン
４０      メダル投入口
５１      遊技盤の外周壁
５２      ガイドレール
５２ａ    ガイドレールが上方に湾曲した最上位置
５２ｂ    遊技球排出端
５３      分散片（移動部材）
５４      弾性部材
５４ａ    傾斜面
５５      ガイド部材
５５ａ    遊技球を受け入れる端部
５５ｂ    遊技球を排出する端
５６      中間排出口
６０      逆流球排出機構（逆流球排出手段）
６１      回転体
６２      軸
６３      逆流球排出片
１１０      他の実施形態の雀球遊技機
１１１      ワープ（分配手段）
１１２      中間入球口
１１３      中間排出口
１１３ａ    分散斜面
１１４      通路
【図１】
0004632402.tif 000002
【図２】
0004632402.tif 000003
【図３】
0004632402.tif 000004
【図４】
0004632402.tif 000005
【図５】
0004632402.tif 000006
【図６】
0004632402.tif 000007